(57)【特許請求の範囲】
【請求項１】
光ディスクのウォブルに同期したウォブルクロック信号を生成するウォブルＰＬＬ回路と、
水晶発振器の出力信号に基づいて記録用の記録クロック信号を生成する記録クロック生成回路と、
前記ウォブルＰＬＬ回路から供給される前記ウォブルクロック信号と前記記録クロック生成回路から出力される前記記録クロック信号が供給され、前記ウォブルクロック信号と前記記録クロック信号の周波数の比率を計測し、この計測結果と光ディスクの種類に応じた前記ウォブルクロック信号と前記記録クロック信号の周波数の比率に対応する基準値との誤差分を前記記録クロック生成回路に供給するウォブルクロック計測回路とを具備し、
前記記録クロック生成回路は、前記ウォブルクロック計測回路より供給される誤差分がゼロになるように前記記録クロック信号の発振周波数を制御することを特徴とする光ディスク記録装置。
【請求項２】
光ディスクのウォブルに同期したウォブルクロック信号を生成するウォブルＰＬＬ回路と、
水晶発振器の出力信号に基づいて記録用の記録クロック信号を生成する記録クロック生成回路と、
前記ウォブルＰＬＬ回路から供給される前記ウォブルクロック信号と前記記録クロック生成回路から出力される前記記録クロック信号が供給され、前記ウォブルクロック信号と前記記録クロック信号の周波数の比率を計測し、この計測結果と光ディスクの種類に応じた前記ウォブルクロック信号と前記記録クロック信号の周波数の比率に対応する基準値との誤差分を前記記録クロック生成回路に供給するウォブルクロック計測回路とを具備し、
前記記録クロック生成回路は、前記ウォブルクロック計測回路より供給される誤差分がゼロになるように前記記録クロック信号の発振周波数を制御することを特徴とする半導体集積回路。
【請求項３】
前記ウォブルクロック計測回路と前記記録クロック生成回路の相互間に設けられ、前記ウォブルクロック計測回路の出力を積分するフィルタ回路をさらに具備することを特徴とする請求項１記載の光ディスク記録装置。
【請求項４】
前記ウォブルクロック計測回路は、前記ウォブルクロック信号の１周期と実質的に比例した期間内における前記記録クロック信号の数をカウントするカウンタ回路と、
前記ウォブルクロック信号と記録クロック信号の所望の周波数比と対応する基準値をラッチする第１のレジスタと、
前記第１のレジスタにラッチされた基準値と前記カウンタ回路から供給されるカウント値の誤差分を演算する演算回路と
を具備することを特徴とする請求項３記載の光ディスク記録装置。
【請求項５】
前記フィルタ回路は、第１、第２の入力端、及び出力端を有し、前記第１の入力端に前記演算回路から出力される誤差分が供給される第１の加算器と、
入力端が前記第１の加算器の前記出力端に接続され、出力端が前記第１の加算器の前記第２の入力端に接続された第２のレジスタと、
前記第１の加算器の出力端に接続され、第１の加算器の出力信号をラッチする第３のレジスタと
を具備することを特徴とする請求項４記載の光ディスク記録装置。
【請求項６】
前記記録クロック生成回路は、前記記録クロック信号の所望の発振周波数に応じた基準値をラッチする第４のレジスタと、
第１、第２の入力端、及び出力端を有し、前記第１の入力端に前記第４のレジスタから出力される前記基準値が供給され、前記第２の入力端に前記第３のレジスタから供給されるフィルタ回路の出力信号が供給され、これら出力信号と基準値とを加算し、記録クロック信号の発振周波数を決定する第２の加算器と、
前記第２の加算器の出力信号がセットされるプログラマブルカウンタを有し、このプログラマブルカウンタにセットされた信号に応じて前記記録クロック信号を生成するＰＬＬ回路と
を具備することを特徴とする請求項５記載の光ディスク記録装置。
【請求項７】
前記ウォブルクロック計測回路は、
前記ウォブルクロック信号の１周期と実質的に比例した期間内における前記記録クロック信号の数をカウントするカウンタ回路と、
前記ウォブルクロック信号と記録クロック信号の所望の周波数比と対応する基準値をラッチする第１のレジスタと、
前記第１のレジスタにラッチされた基準値と前記カウンタ回路から供給されるカウント値の誤差分を演算する演算回路とを具備し、
前記記録クロック生成回路は、前記記録クロック信号の所望の発振周波数に応じた基準値をラッチする第２のレジスタと、
第１、第２の入力端、及び出力端を有し、前記第１の入力端に前記第２のレジスタから出力される前記基準値が供給され、前記第２の入力端に前記演算回路で求められた誤差分に基づく信号が供給され、これら誤差分に基づく信号と基準値とを加算し、記録クロック信号の発振周波数を決定する第１の加算器と、
前記第１の加算器の出力信号がセットされるプログラマブルカウンタを有し、このプログラマブルカウンタにセットされた信号に応じて前記記録クロック信号を生成するＰＬＬ回路と
を具備することを特徴とする請求項２記載の半導体集積回路。
【発明の詳細な説明】
【０００１】
【発明の属する技術分野】
本発明は、例えばＣＤ（compact disk）−Ｒ（Recordable）、ＣＤ−ＲＷ(Read/Write)、ＤＶＤ（Digital Versatile disk）−ＲＡＭ(Random Access Memory)、ＤＶＤ−Ｒ、ＤＶＤ−ＲＷなど、複数の種類の光ディスクにデータを記録することが可能な光ディスク記録装置とそれに用いられる半導体集積回路に関する。
【０００２】
【従来の技術】
図３乃至図５は、各種光ディスクの構造を概略的に示している。
【０００３】
図３（ａ）は、ＣＤ−Ｒ、ＣＤ−ＲＷ、ＤＶＤ−Ｒ、ＤＶＤ−ＲＷの光ディスクの表面を概略的に示し、図３（ｂ）は、ＤＶＤ−ＲＡＭの光ディスクの表面を概略的に示している。図４は、これら相変化型の記録再生光ディスクの断面構造を示している。これら光ディスク６１の表面にはスパイラル状にグルーブ（溝）６２が形成され、このグルーブ６２の相互間にランド６３が形成されている。これら光ディスクは、グルーブの間隔、記録線速度などが異なるが、基本的には図３（ａ）（ｂ）に示す構成とされている。
【０００４】
また、図５（ａ）に示すように、ＣＤ−Ｒ、ＣＤ−ＲＷ、ＤＶＤ−Ｒ、ＤＶＤ−ＲＷの光ディスクにおいて、記録信号(ピット)６４は、グルーブ６２内に記録されている。これに対して、Ｚ-ＣＬＶ方式のＤＶＤ−ＲＡＭの場合、図５（ｂ）に示すように、ピットはランド６３とグルーブ６２の両方に記録されている。このため、記録密度が向上されている。
【０００５】
さらに、前記ＤＶＤ−ＲＡＭは、図３（ｂ）に示すように、セクタという約２Ｋバイトのデータ量毎にヘッダー領域６４が設けられており、このヘッダー領域６４に光ディスク上のアドレスが記録されている。ＤＶＤ−ＲＡＭの場合、前記ヘッダー領域６４は隣接する複数のトラック（グルーブやランド）毎に揃っている。このヘッダー領域６４により区切られた複数のトラックの領域（以下、これをゾーンと呼ぶ）内ではＣＡＶ（Constant Angular Velocity）で記録することが必要である。光ディスク全面で見た場合、記録容量を上げるためにゾーン毎にＣＡＶの回転数を変化され、ほぼＣＬＶ（Constant Linear Velocity）相当の記録密度となっている。これをＺ-ＣＬＶ(Zone-CLV)方式と呼んでいる。
【０００６】
上記いずれの光ディスクもトラックを正弦波状にうねらせて、所謂ウォブルが形成されている。一般に、ウォブルは、光ディスク毎に記録するべきデータ量(距離)と決まった比率で形成されている。記録時はウォブルに対応したウォブル信号がピックアップヘッドから抽出され、このウォブル信号が光ディスクの回転制御の基準とされる。ウォブル信号は通常、プッシュプルトラッキングエラー信号などから検出されることが多い。
【０００７】
従来、複数の種類の光ディスクを１台の装置で記録再生できるシステムは、殆んど存在していない。しかし、近年、ＣＤ−Ｒ／ＲＷやＤＶＤ−ＲＡＭ、ＤＶＤ−Ｒ、ＤＶＤ−ＲＷなど複数の記録再生光ディスクの登場により、これら種々の光ディスクを１台の装置で記録再生することが可能な光ディスク記録再生装置の開発が要望されている。
【０００８】
ところが、上記各種光ディスクは、ディスク毎に回転数が異なり、また、記録精度も異なっている。特に、記録時において、各光ディスクは前述のウォブル信号を基準として回転速度が制御される。一般的には、ウォブル信号の周波数が一定となるように光ディスクが回転され、光ディスク上でのレーザービームの線速度が一定に制御される。記録信号は記録クロック信号の周波数を固定し、固定レートで記録される。
【０００９】
しかし、上記各種光ディスクについてウォブル信号の周波数を一定として光ディスクを回転させることが難しい。特に、ＤＶＤ−ＲＡＭの場合、ゾーンによって回転数が相違するため、ウォブル信号の周波数を一定として光ディスクを回転させることが難しい。しかも、ディスクサーボは光ディスクの偏芯によって生じるウォブル信号の揺らぎなどもある程度抑える必要がある。したがって、複数の異なる種類の光ディスクに対して、複数の記録速度をサポートすることが困難となる可能性が高い。
【００１０】
このように、光ディスクは、その仕様がそれぞれ異なるため、複数種の光ディスクを記録再生可能とするために、ピックアップやディスクモータなどのキーパーツの設計、及びディスクサーボ系の設計が複雑になることが予想される。
【００１１】
図６は、従来の光ディスク記録再生装置の構成を示している。図６を参照して、複数の種類の光ディスクを記録再生する場合の問題点について具体的に説明する。
【００１２】
先ず、再生系について説明する。光ディスク１１からピックアップヘッド１２により読み取られた信号は、高周波回路（ＲＦ）及びマトリクスアンプ１３に供給される。このマトリクスアンプ１３は、ピックアップヘッド１２から供給される信号に応じてサーボ制御に必要なエラー信号を生成するとともに、情報信号の波形等化などを行ったＲＦ信号(情報信号)、及びウォブルに同期したクロック信号を生成する。
【００１３】
前記エラー信号はサーボ制御回路１４に供給される。このサーボ制御回路１４はエラー信号に基づき出力信号のゲインや位相を調整する。このサーボ制御回路１４の出力信号はドライバー１５に供給され、このドライバー１５の出力信号により、ピックアップヘッド１２を駆動する図示せぬアクチュエータや送りモーター１６が制御される。
【００１４】
一方、前記マトリクスアンプ１３から出力される波形等化されたＲＦ信号は、データスライス回路及び復調回路１７に供給される。このデータスライス回路及び復調回路１７は情報信号の２値化や同期クロック信号の抽出、同期信号の分離及び情報信号の復調を行う。復調された信号は同期クロック信号と共にエラー訂正回路１８に供給される。このエラー訂正回路１８は、訂正ＲＡＭ１９を用いて復調された信号のエラーを訂正する。すなわち、データスライス回路及び復調回路１７から供給される情報信号はエラー訂正回路１８を介して訂正ＲＡＭ１９に記憶される。エラー訂正回路１８はこの訂正ＲＡＭ１９に記憶された情報信号を順次読み出してエラー訂正を行う。このエラー訂正回路１８の出力信号はデータバッファ回路２０を介してデータバッファＲＡＭ２１に一時記憶される。データバッファ回路２０は、ホストコンピュータからの要求に応じてデータバッファＲＡＭ２１に記憶されたデータをホストコンピュータに出力する。
【００１５】
次に、記録系について説明する。前記ホストコンピュータから供給されたデータは、データバッファ回路２０を介して前記データバッファＲＡＭ２１に記憶される。このデータバッファＲＡＭ２１に記憶されたデータは、データバッファ回路２０を介して、パリティ生成回路２２に供給される。このパリティ生成回路２２はパリティ信号を生成し、データに付加する。このパリティ信号が付加されたデータは、変調回路２３で変調され、レーザー駆動回路２４にビットストリームからなる記録信号として供給される。このレーザー駆動回路２４は記録信号に応じてピックアップヘッド１２に設けられた図示せぬ半導体レーザーを駆動し、光ディスクにピットを形成する。
【００１６】
前記エラー訂正回路１８、データバッファ回路２０、及びパリティ生成回路２２等は信号処理クロックＰＬＬ回路２５により生成された信号処理用のクロック信号に応じて動作される。また、前記変調回路２３は記録クロックＰＬＬ回路２６で生成された記録用のクロック信号により動作される。この記録クロックＰＬＬ回路２６は、後述するシステムコントローラ３２から供給される制御信号に応じて制御され、各種光ディスクの定常速度に一致した記録クロック信号を発生する。
【００１７】
再生時、光ディスク系の制御は光ディスクモータ２７と光ディスクモータドライバ２８から得られるＦＧ（Frequency Generating）信号で制御されることが多い。この場合、ＣＡＶ方式の回転制御が行われる。場合によっては、同期信号の分離等を行っている前記復調回路１７からの同期信号（再生同期信号）の周波数を一定にするように、ＣＬＶ方式で制御されることもある。
【００１８】
記録時は、光ディスクに照射されるレーザーパワーを一定に保つ必要がある。このため、ＣＡＶ方式で制御されることは殆んどない。したがって、記録時は、一般にウォブル信号を使用して光ディスクの回転が制御される。ウォブル信号は、ウォブルＰＬＬ回路２９において、前記マトリクスアンプ１３から供給されるウォブルに同期したクロック信号に基づいて生成される。このようにして生成することにより、光ディスクに傷などが生じていても、安定なウォブル信号を生成することができる。但し、ＤＶＤ−ＲＡＭの場合、前述したようにゾーン毎にＣＡＶで記録することが規格により定められている。このため、ゾーン内では前記ＦＧ信号に基づいて、ＣＡＶで光ディスクを回転させピットを記録する。
【００１９】
前記ウォブルＰＬＬ回路２９で生成されたウォブル信号（ウォブルクロック信号）、ＦＧ信号、及び再生同期信号は、動作モードに応じてスイッチ３０により選択され、ディスクモータ制御回路３１に供給される。このディスクモータ制御回路３１は、スイッチ３０から供給される信号と水晶発振器から供給される信号とを比較し、この比較結果に応じてディスクモータドライバ２８を制御する。
【００２０】
システムコントローラ３２は、記録、再生等の動作モードに応じて、前記各種回路を制御する。さらに、システムコントローラ３２には、信号処理系やサーボ系から得られる光ディスクの種類を判別するディスク判別信号が供給される。このシステムコントローラ３２は、ディスク判別信号に基づいて光ディスクの種類を判別し、光ディスクの種類に応じて、前記記録クロックＰＬＬ回路２６の基準発振周波数を決定している。この基準発振周波数の値（基準値）は前記記録クロックＰＬＬ回路２６に供給される。
【００２１】
【発明が解決しようとする課題】
ところで、データ記録時におけるウォブルクロック信号と記録クロック信号の周波数の比率は、規格により定められている。
【００２２】
図７は、光ディスクの種類に応じたウォブルクロック信号と記録クロック信号の周波数の比率の例を示している。
【００２３】
上記のように、光ディスクの回転速度は、光ディスクによって異なっている。このように、種々の回転速度により動作される光ディスクに対応して正しくデータを記録するためには、ウォブルクロック信号と記録クロック信号の周波数の比率が上記規格で定められた一定の比率である必要がある。
【００２４】
しかし、シーク後など光ディスクの回転が過渡的に定常回転数になっていない場合、ウォブルクロック信号と記録クロック信号の周波数の比率が変動する。この比率が変動している状態では、データが正しく記録されない。したがって、この状態で記録された光ディスクは、他の記録再生装置により再生することが困難となる。
【００２５】
本発明は、上記課題を解決するためになされたものであり、その目的とするところは、記録時に光ディスクの回転が変動した場合においても、正確にデータを記録することが可能な光ディスク記録装置とその半導体集積回路を提供しようとするものである。
【００２６】
【課題を解決するための手段】
本発明の光ディスク記録装置は、光ディスクのウォブルに同期したウォブルクロック信号を生成するウォブルＰＬＬ回路と、水晶発振器の出力信号に基づいて記録用の記録クロック信号を生成する記録クロック生成回路と、前記ウォブルＰＬＬ回路から供給される前記ウォブルクロック信号と前記記録クロック生成回路から出力される前記記録クロック信号が供給され、前記ウォブルクロック信号と前記記録クロック信号の周波数の比率を計測し、この計測結果と光ディスクの種類に応じた前記ウォブルクロック信号と前記記録クロック信号の周波数の比率に対応する基準値との誤差分を前記記録クロック生成回路に供給するウォブルクロック計測回路とを具備し、前記記録クロック生成回路は、前記ウォブルクロック計測回路より供給される誤差分がゼロになるように前記記録クロック信号の発振周波数を制御することを特徴とする。
【００２７】
本発明の半導体集積回路は、光ディスクのウォブルに同期したウォブルクロック信号を生成するウォブルＰＬＬ回路と、水晶発振器の出力信号に基づいて記録用の記録クロック信号を生成する記録クロック生成回路と、前記ウォブルＰＬＬ回路から供給される前記ウォブルクロック信号と前記記録クロック生成回路から出力される前記記録クロック信号が供給され、前記ウォブルクロック信号と前記記録クロック信号の周波数の比率を計測し、この計測結果と光ディスクの種類に応じた前記ウォブルクロック信号と前記記録クロック信号の周波数の比率に対応する基準値との誤差分を前記記録クロック生成回路に供給するウォブルクロック計測回路とを具備し、前記記録クロック生成回路は、前記ウォブルクロック計測回路より供給される誤差分がゼロになるように前記記録クロック信号の発振周波数を制御することを特徴とする。
【００２８】
【発明の実施の形態】
以下、本発明の実施の形態について図面を参照して説明する。
【００２９】
図１は、本発明に係る光ディスク記録再生装置の実施例を示すものであり、図６と同一部分には同一符号を付し説明は省略する。なお、図１において、ＩＣは１つの半導体集積回路に内蔵される要素を示しており、ローパスフィルタ３４は、半導体集積回路に内蔵することも、外付けとすることも可能である。
【００３０】
この実施例の特徴は、データの記録時に記録クロック信号の周波数をウォブルクロック信号に応じて変化させている。この制御を行うため、図１に示すようにウォブルクロック計測回路３３とローパスフィルタ３４を設けている。
【００３１】
すなわち、ウォブルＰＬＬ回路２９から出力されたウォブルクロック信号は、ウォブルクロック計測回路３３に供給される。さらに、このウォブルクロック計測回路３３には、記録クロックＰＬＬ回路２６から記録クロック信号が供給されている。このウォブルクロック計測回路３３は、記録クロック信号に基づいてウォブルクロック信号を計数し、ウォブルクロック信号と記録クロック信号の周波数の比率が規格で決められた比率になっているかどうかを計測する。このウォブルクロック計測回路３３の出力信号はローパスフィルタ３４に供給される。このローパスフィルタ３４は、僅かな計測誤差から発生するノイズ成分などを除去すると共に、定常誤差を少なくするためにウォブルクロック計測回路３３から供給される信号を十分に積分し、記録クロックＰＬＬ回路２６ヘ供給する。
【００３２】
記録クロックＰＬＬ回路２６は、ローパスフィルタ３４からフィードバックされた信号に応じて発振周波数が変化され、ウォブルクロック信号と記録クロック信号の周波数の比率が本来の比率になるように記録クロック信号の周波数が制御される。
【００３３】
システムコントローラ３２は、信号処理系やサーボ系から得られる光ディスク判別信号に基づいて光ディスクの種類を判別するとともに、光ディスクの種類に応じた記録クロックＰＬＬ回路２６の基準発振周波数、及びウォブルクロック計測回路３３の基準値（光ディスク毎の記録クロック信号とウォブルクロック信号との周波数の比率）を決定する。
【００３４】
上記構成において、記録時にディスクサーボの精度が低下し、光ディスクの回転精度が悪化した場合においても記録クロック信号を光ディスクの回転変動に追従させることができる。したがって、ウォブルクロック信号と記録クロック信号の周波数の比率を略一定に保持することができ、正しい記録状態が保たれる。
【００３５】
図２は、図１に示すウォブルクロック計測回路３３、ローパスフィルタ３４及び記録クロックＰＬＬ回路２６の構成例を示している。
【００３６】
ウォブルクロック計測回路３３は、分周器４１、カウンタ回路４２、レジスタ４３、ウォブルカウント数レジスタ４４、減算器４５により構成されている。前記ウォブルＰＬＬ回路２９から供給されるウォブルクロック信号ＣＫは、分周器４１に供給される。この分周器４１により１／Ｎに分周されたウォブルクロック信号はカウンタ回路４２及びレジスタ４３に供給される。前記カウンタ回路４２には、前記記録クロックＰＬＬ回路２６の後述するＶＣＯ（Voltage controlled Oscillator）５３から出力される記録クロック信号が供給されている。このカウンタ回路４２は分周器４１から供給されるウォブルクロック信号の周期が記録クロック信号の何個分であるかをカウントする。すなわち、カウンタ回路４２は、前記分周器４１から供給されるウォブルクロック信号の例えば１周期の期間に記録クロック信号をカウントする。また、前記分周器４１は、ウォブルクロック信号ＣＫの周期を拡大しており、ウォブルクロック信号ＣＫを記録クロック信号で計測する際に、計数精度を上げる目的で用いられている。カウンタ回路４２のカウント値は、前記分周器４１から出力されるウォブルクロック信号に応じて、毎周期にレジスタ４３にラッチされる。このレジスタ４３にラッチされたカウント値は、理想的には規格で定められた比率に対応した値となる。しかし、例えばシーク後等において、光ディスクの回転速度が変動している期間は正規の比率から変動している。このレジスタ４３の値は減算器４５に供給される。
【００３７】
一方、ウォブルカウント数レジスタ４４には、例えばシステムコントローラ３２から供給される光ディスクの種類に応じたウォブルクロック信号と記録クロック信号の周波数の比率に対応する基準値がラッチされる。このウォブルカウント数レジスタ４４にラッチされた基準値は前記減算器４５に供給される。この減算器４５はレジスタ４３から供給されるカウント値とウォブルカウント数レジスタ４４から供給される基準値の差を求める。前記レジスタ４３から供給されるカウント値が規格に定められた比率に対応する場合、これらカウント値と基準値の誤差分はゼロとなる。この誤差分は、ローパスフィルタ３４に供給される。
【００３８】
前記ローパスフィルタ３４は、加算器４６、レジスタ４７、及び分周補正レジスタ４８により構成されている。前記減算器４５から出力される誤差分は加算器４６に供給される。この加算器４６には前記レジスタ４７の出力信号が供給される。このレジスタ４７には加算器４６の出力信号が供給される。このため、加算器４６の動作に応じて高域周波数成分の変動が除去されるとともに、定常ずれを減少するために積分される。この加算器４６の演算結果は分周補正レジスタ４８にラッチされる。この分周補正レジスタ４８にラッチされた高域周波数成分が除去された誤差分は、記録クロックＰＬＬ回路２６に供給される。
【００３９】
記録クロックＰＬＬ回路２６は、主としてプログラマブルカウンタ５１とＶＣＯ５３、及び位相比較器とチャージポンプで構成されるブロック５２、さらに記録クロック信号を生成するための基準となる水晶発振器５５の出力信号を分周する分周器５４により構成されている。
【００４０】
さらに、この記録クロックＰＬＬ回路２６は、分周設定レジスタ４９と、加算器５０を有している。この分周設定レジスタ４９には、システムコントローラ３２から供給される光ディスクの種類に応じた基準値がラッチされる。この分周設定レジスタ４９にラッチされた基準値と前記分周補正レジスタ４８から出力される誤差分は加算器５０に供給され、この加算器５０においてこれらが加算される。このようにして、加算器５０により、記録クロック信号の発振周波数が決定される。この加算器５０の出力信号はプログラマブルカウンタ５１にセットされる。記録クロックＰＬＬ回路２６は、前記プログラムカウンタ５１にセットされた発振周波数に応じて動作し、記録クロック信号を発生する。
【００４１】
ここで、例えば前記ウォブルクロック信号の周波数と記録クロックの周波数との比率が、規格で定められた比率からずれている場合、前述した誤差分がゼロ以外の値となる。この値がローパスフィルタ３４により積分され、ローパスフィルタ３４内の分周補正レジスタ４８の値がゼロ以外の値とされる。このため、分周補正レジスタ４８の誤差分がゼロとなるよう、記録クロックＰＬＬ回路２６が動作され、記録クロック信号の周波数が調整される。
【００４２】
上記実施例によれば、データの記録時にウォブルクロック信号の周波数に応じて記録クロック信号の周波数を変化させている。このため、光ディスクの回転速度が変動した場合においてもウォブルクロック信号と記録クロック信号の周波数の比率を略一定に保持することができる。したがって、光ディスクの種類に対応して確実にデータを記録することができ、複数種の光ディスクを１台の装置で記録再生することが可能となる。
【００４３】
しかも、光ディスクの回転速度に影響を受けることなく、データを記録することができるため、ディスクサーボの応答速度を高速化する必要がない。したがって、ディスクサーボ系の設計が容易となり、ローコストな光ディスクモータを使用して高精度の記録を実現できる。
【００４４】
また、シーク後など光ディスクの回転が定常値でない場合においても、ウォブルクロック信号と記録クロック信号の周波数の比率を保証することができる。このため、ディスクサーボの制御により、光ディスクの回転が完全に定常状態となる前に記録を開始することが可能となる。したがって、従来に比べて記録時間を短縮することができる。
【００４５】
さらに、記録クロックＰＬＬ回路２６は、水晶発振器５５の出力信号に基づいて記録クロック信号を生成し、この記録クロック信号をウォブルクロック信号に従って補正している。このため、例えばウォブルクロック信号に基づいて記録クロック信号を発生する場合に比べてジッターを抑制することができる。
【００４６】
尚、上記実施例の場合、ウォブルクロック信号の周波数と記録クロック信号の周波数の比率は、光ディスクが如何なる回転数であっても略一定に保たれる。このため、本発明の装置により、ＣＡＶ方式の記録システムを構築することも可能である。
【００４７】
また、上記実施例において、ウォブルクロック計測回路３３の出力信号はローパスフィルタ３４を介して記録クロックＰＬＬ回路２６の加算器５０に供給した。しかし、本発明は、この実施例に限定されるものではない。
【００４８】
例えばウォブルクロック計測回路３３のウォブルカウント数レジスタ４４、減算器４５、ローパスフィルタ３４、記録クロックＰＬＬ回路２６における分周設定レジスタ４９、及び加算器５０の機能をハードウェア又はソフトウェアによりシステムコントローラ３２に付加してもよい。
【００４９】
この場合、ウォブルクロック計測回路３３のレジスタ４３にラッチされたカウント値はシステムコントローラ３２に供給される。このシステムコントローラ３２において、前記カウント値は例えばウォブルクロック信号と記録クロック信号の比率に相当する基準値とともに減算器に供給され、この減算器においてこれらの値が減算される。この減算器の出力信号は必要に応じてローパスフィルタ等により、高域周波数成分が除去された後、光ディスクの種類に応じた基準値とともに例えば加算器に供給される。この加算器においてこれらの信号が加算され、記録クロック信号の発振周波数が決定される。この決定された発振周波数はシステムコントローラ３２から記録クロックＰＬＬ回路２６のプログラマブルカウンタ５１に供給される。このような構成としても、上記実施例と同様の効果を得ることができる。
【００５０】
その他、本発明の要旨を変えない範囲において種々変形実施可能なことは勿論である。
【００５１】
【発明の効果】
以上、詳述したように本発明によれば、記録時に光ディスクの回転が変動した場合においても、正確にデータを記録することが可能な光ディスク記録装置とその半導体集積回路を提供できる。
【図面の簡単な説明】
【図１】本発明の一実施例を示す構成図。
【図２】図１の要部を具体的に示す構成図。
【図３】図３（ａ）はＣＤ−Ｒ、ＣＤ−ＲＷ、ＤＶＤ−Ｒ、ＤＶＤ−ＲＷの光ディスクの表面を概略的に示す平面図、図３（ｂ）はＤＶＤ−ＲＡＭの光ディスクの表面を概略的に示す平面図。
【図４】相変化型の記録再生光ディスクの構造を示す断面図。
【図５】図５（ａ）はＣＤ−Ｒ、ＣＤ−ＲＷ、ＤＶＤ−Ｒ、ＤＶＤ−ＲＷのトラックを概略的に示す構成図、図５（ｂ）はＤＶＤ−ＲＡＭのトラックを概略的に示す構成図。
【図６】従来の光ディスク記録再生装置の一例を示す構成図。
【図７】光ディスクの種類に対応した記録クロックとウォブルクロックの関係を示す図。
【符号の説明】
１１…光ディスク、
１２…ピックアップヘッド、
１３…マトリクスアンプ、
２６…記録クロックＰＬＬ回路、
２９…ウォブルＰＬＬ回路、
３２…システムコントローラ、
３３…ウォブルクロック計測回路、
３４…ローパスフィルタ、
４１…分周器、
４２…カウンタ回路、
４５…減算器、
５０…加算器。
【図１】
0004598923.tif 000002
【図２】
0004598923.tif 000003
【図３】
0004598923.tif 000004
【図４】
0004598923.tif 000005
【図５】
0004598923.tif 000006
【図６】
0004598923.tif 000007
【図７】
0004598923.tif 000008